(57)【要約】【課題】製造時の公差の影響を受けることなくレンチキュラーレンズを通して画像を常に正しく見ることができるようにする。【解決手段】額縁状のフレーム２と、画像シート７がフレーム２との間に挟まれるレンチキュラーレンズ３を有するレンズ部材４を備える。画像シート７とレンチキュラーレンズ３との位置合わせを行う調整機構６を備える。レンズ部材４はフレーム２に対して移動可能である。調整機構６は、フレーム２の外に露出する操作用回転体５を備える。この回転体５は、回転することにより移動する偏心カム３７を備え、この偏心カム３７は、レンズ部材４に接続されている。【選択図】  図１
2012037802.tif 000002
【特許請求の範囲】
【請求項１】
額縁状に形成された基部と、
前記基部と対向するレンチキュラーレンズを有し、前記基部との間に画像シートを挟む状態で基部に着脱可能に保持されたレンズ部と、
前記画像シートと前記レンチキュラーレンズとの位置合わせを行う調整機構とを備え、
前記画像シートとレンズ部とのうちいずれか一方の部材は、前記基部に対して、前記レンチキュラーレンズの凹凸が並ぶ第１の方向に移動可能であり、
前記調整機構は、前記基部の外に露出する状態で前記基部に回転自在に支持された操作用回転体を備え、
前記操作用回転体は、回転することにより前記第１の方向に移動する移動子を備え、
前記移動子は、前記移動可能な一方の部材に接続されていることを特徴とする画像表示器。
【請求項２】
請求項１記載の画像表示器において、前記レンズ部を前記基部に着脱可能に保持する部分は、保持状態において、前記レンズ部が前記画像シートを基部に押し付けるように形成されていることを特徴とする画像表示器。
【請求項３】
請求項１または請求項２記載の画像表示器において、前記移動可能な一方の部材はレンズ部であり、
前記回転体は、前記基部に回転自在に支持された回転軸と、この回転軸と同一軸線上に位置する円板状のダイヤルとを備え、
前記移動子は、前記回転軸に突設された偏心カムによって形成され、かつ前記レンズ部の側部に回転自在に嵌合していることを特徴とする画像表示器。
【請求項４】
請求項３記載の画像表示器において、前記レンズ部には、画像シートの両側方で前記第１の方向とは直交する第２の方向に延びる第１の側板と第２の側板とが設けられ、
これらの第１、第２の側板と前記画像シートとの間には、前記偏心カムが回転することにより往復する前記レンズ部の往復ストロークに相当する隙間が形成されていることを特徴とする画像表示器。
【請求項５】
請求項１ないし請求項４のうちいずれか一つに記載の画像表示器において、前記基部における前記調整機構の回転体が取付けられる取付部と、前記レンズ部または前記画像シートにおける前記回転体が接続される接続部とは、前記回転体が着脱可能となるように形成され、かつ前記第１の方向の両端部と、この第１の方向とは直交する第２の方向の両端部とにそれぞれ設けられていることを特徴とする画像表示器。
【請求項６】
請求項１ないし請求項５のうちいずれか一つに記載の画像表示器において、前記画像シートはジグソーパズルであることを特徴とする画像表示器。
【発明の詳細な説明】
【技術分野】
【０００１】
本発明は、レンチキュラーレンズを有する画像表示器に関するものである。
【背景技術】
【０００２】
従来のこの種の画像表示器としては、例えば特許文献１に記載されているものがある。特許文献１に開示された画像表示器は、表示器本体とレンチキュラーレンズとの間に画像シートを挟む構造が採られている。画像シートは、レンチキュラーレンズを重ねて見る画像を有し、紙又はプラスチックフィルムによって形成されている。
【０００３】
ところで、レンチキュラーレンズを通して画像を見る場合、レンチキュラーレンズを構成する多数の断面かまぼこ状の凸レンズと、レンチキュラーレンズを通して見るために分割して形成された多数の分割画像とを正確に合わせる必要がある。
この画像表示器において、上記各凸レンズと分割画像との位置合わせは、複数の位置決めピンをレンチキュラーレンズと画像シートとに貫通させることによって行われている。すなわち、レンチキュラーレンズと画像シートとには、前記位置合わせを行うために複数の貫通孔が予め穿設されている。また、表示器本体には、前記複数の位置決めピンが立設されている。
【先行技術文献】
【特許文献】
【０００４】
【特許文献１】特開２００３−３４４８０７号公報
【発明の概要】
【発明が解決しようとする課題】
【０００５】
しかしながら、特許文献１に記載されている画像表示器では、レンチキュラーレンズを通して見える画像の奥行きが十分でなかったり、画像が不自然に歪んで見えるおそれがあった。これは、前記位置決めピンの位置、太さ、貫通孔の位置、孔径などには必ず公差があるし、製造誤差を０にすることは難しいからである。特許文献１に示す画像表示器は、上述したような場合に画像を正しく見ることができるように修正することはできないものである。
【０００６】
本発明はこのような問題を解消するためになされたもので、製造時の公差の影響を受けることなくレンチキュラーレンズを通して画像を常に正しく見ることができる画像表示器を提供することを目的とする。
【課題を解決するための手段】
【０００７】
この目的を達成するために、本発明に係る画像表示器は、額縁状に形成された基部と、前記基部と対向するレンチキュラーレンズを有し、前記基部との間に画像シートを挟む状態で基部に着脱可能に保持されたレンズ部と、前記画像シートと前記レンチキュラーレンズとの位置合わせを行う調整機構とを備え、前記画像シートとレンズ部とのうちいずれか一方の部材は、前記基部に対して、前記レンチキュラーレンズの凹凸が並ぶ第１の方向に移動可能であり、前記調整機構は、前記基部の外に露出する状態で前記基部に回転自在に支持された操作用回転体を備え、前記操作用回転体は、回転することにより前記第１の方向に移動する移動子を備え、前記移動子は、前記移動可能な一方の部材に接続されているものである。
【０００８】
本発明は、前記発明において、前記レンズ部を前記基部に着脱可能に保持する部分は、保持状態において、前記レンズ部が前記画像シートを基部に押し付けるように形成されているものである。
【０００９】
本発明は、前記発明において、前記移動可能な一方の部材はレンズ部であり、前記回転体は、前記基部に回転自在に支持された回転軸と、この回転軸と同一軸線上に位置する円板状のダイヤルとを備え、前記移動子は、前記回転軸に突設された偏心カムによって形成され、かつ前記レンズ部の側部に回転自在に嵌合しているものである。
【００１０】
本発明は、前記発明において、前記レンズ部には、画像シートの両側方で前記第１の方向とは直交する第２の方向に延びる第１の側板と第２の側板とが設けられ、これらの第１、第２の側板と前記画像シートとの間には、前記偏心カムが回転することにより往復する前記レンズ部の往復ストロークに相当する隙間が形成されているものである。
【００１１】
本発明は、前記発明において、前記基部における前記調整機構の回転体が取付けられる取付部と、前記レンズ部または前記画像シートにおける前記回転体が接続される接続部とは、前記回転体が着脱可能となるように形成され、かつ前記第１の方向の両端部と、この第１の方向とは直交する第２の方向の両端部とにそれぞれ設けられているものである。
本発明は、前記発明において、前記画像シートをジグソーパズルとしたものである。
【発明の効果】
【００１２】
本発明によれば、操作用回転体が回転することによって、画像シートとレンズ部とのうち一方が他方に対して前記第１の方向に移動する。操作用回転体は、基部の外に露出しているから、利用者がレンチキュラーレンズを通して立体画像を見ながら容易に操作することができる。このため、利用者は、レンチキュラーレンズを通して立体画像が正しく見えるように画像シートとレンズ部との相互の位置を修正することができる。
したがって、製造時の公差の影響を受けることなくレンチキュラーレンズを通して立体画像を常に正しく見ることが可能な画像表示器を提供することができる。
【図面の簡単な説明】
【００１３】
【図１】本発明に係る画像表示器の正面図である。
【図２】基部を前側から見た状態を示す斜視図である。
【図３】基部を裏側から見た斜視図である。
【図４】基部の一部を拡大して示す斜視図である。
【図５】図１におけるV−V線断面図である。
【図６】図１におけるVI−VI線断面図である。
【図７】図１におけるVII−VII線断面図である。
【図８】レンズ部を裏側から見た斜視図である。
【図９】レンズ部の一部を拡大して示す斜視図である。
【図１０】調整部材を示す図で、同図（ａ）は平面図、同図（ｂ）はピン側から見た斜視図、同図（ｃ）は偏心カム側から見た斜視図である。
【図１１】画像表示器の一部を破断して示す分解斜視図である。
【図１２】画像表示器の一部を破断して示す分解斜視図で、同図は、調整部材を傾斜させて基部に接触させた状態で描いてある。
【図１３】画像表示器の一部を破断して示す分解斜視図で、同図は、画像シートを基部に重ねた状態で描いてある。
【図１４】本発明に係る画像表示器の一部を破断して示す斜視図である。
【図１５】本発明に係る画像表示器の要部を裏側から見た状態を示す斜視図である。
【図１６】調整機構の動作を説明するための図である。同図（ａ）は、偏心カムが初期の位置にあるときの要部を拡大して示す断面図、同図（ｂ）は同じく平面図で、（ｂ）図においては、（ａ）図の破断位置をＡ−Ａ線によって示す。図（ｃ）は偏心カムが９０°回転したときの要部を拡大して示す断面図、（ｄ）は同じく平面図で、（ｄ）図においては、（ｃ）図の破断位置をＣ−Ｃ線によって示す。
【図１７】調整機構の動作を説明するための図である。同図（ａ）は偏心カムが１８０°回転したときの要部を拡大して示す断面図、同図（ｂ）は同じく平面図で、（ｂ）図においては、（ａ）図の破断位置をＡ−Ａ線によって示す。同図（ｃ）は偏心カムが２７０°回転したときの要部を拡大して示す断面図、同図（ｄ）は同じく平面図で、（ｄ）図においては、（ｃ）図の破断位置をＣ−Ｃ線によって示す。
【発明を実施するための形態】
【００１４】
以下、本発明に係る画像表示器の一実施の形態を図１〜図１７によって詳細に説明する。この実施の形態においては、画像表示器の表側（正面側）を前側あるいは前部といい、裏側を後側あるいは後部という。また、前側と後側とを結ぶ方向を前後方向という。
図１に示す画像表示器１は、額縁状に形成されたフレーム２と、このフレーム２と対向するレンチキュラーレンズ３を有するレンズ部材４と、このレンズ部材４を操作用回転体５によって移動させる構成の調整機構６とを備えている。レンズ部材４は、詳しくは後述するが、前記フレーム２と前記レンチキュラーレンズ３との間に画像シート７が挟まれる状態でフレーム２に着脱可能に保持されている。この実施の形態においては、前記フレーム２によって本発明でいう基部が構成され、前記レンズ部材４によって本発明でいうレンズ部が構成されている。
【００１５】
前記画像シート７は、前記フレーム２と前記レンチキュラーレンズ３との間に挟まれて保持されている。この実施の形態による画像シート７は、前記レンチキュラーレンズ３を重ねることによって立体的に見える立体画像（図示せず）を多数のピースに分割したジグソーパズルである。この画像表示器１は、前記画像シート７にレンチキュラーレンズ３を重ね、前記立体画像を立体的に見えるようにするためのものである。
【００１６】
前記フレーム２は、図１および図２に示すように、正面視において長方形状に形成されている。このフレーム２は、外縁部分に位置する枠部１１と、この枠部１１の内側に溝部１２を介して接続された支持台部１３とによって構成されている。前記枠部１１と、前記溝部１２と、前記支持台部１３とは、一体成形により一体に形成されている。このフレーム２を形成する材料はプラスチックである。
【００１７】
前記枠部１１は、図２〜図５に示すように、フレーム２の四辺において前後方向に延びる４枚の側板１１ａ〜１１ｄと、これらの側板１１ａ〜１１ｄの前端に接続された前面板１１ｅとによって構成されている。前記各側板１１ａ〜１１ｄには、後述する調整機構６の回転体５を回転自在に支持するための軸孔１４（図３，４および図７参照）が穿設されている。回転体５は、詳細は後述するが、フレーム２の外側に位置する外端部が軸孔１４に回転自在に嵌合させられ、軸孔１４に回転自在に支持されている。
【００１８】
前記溝部１２は、図５に示すように、前方（同図においては上方）に向けて開放する断面コ字状に形成されており、図１に示すように、正面視においてロ字状に形成されている。詳述すると、溝部１２は、図５に示すように、前記枠部１１の前面板１１ｅから後方に延びる外部側板１２ａと、この外部側板１２ａの後端からフレーム２の内側に延びる底板１２ｂと、この底板１２ｂの内端から前方に延びる内部側板１２ｃとによって形成されている。
【００１９】
前記外部側板１２ａには、図３，４および図７に示すように、後述する調整機構６の回転体５を挿入するためのＵ字状の切り欠き１５と、回転体５に押し付けられる突起１６とが形成されている。これらの切り欠き１５と突起１６とは、前記軸孔１４と対向するような位置に形成されている。
前記底板１２ｂには、図３，４および図１５に示すように、第１の開口１７と第２の開口１８とが形成されている。第１の開口１７は、後述する調整機構６の回転体５を通すためのもので、前記切り欠き１５が接続するように底板１２ｂに形成されている。この実施の形態においては、前記軸孔１４と、切り欠き１５と、突起１６と、第１の開口１７とによって、調整機構６の回転体５を取付けるための取付部２１が構成されている。この取付部２１は、図３に示すように、フレーム２の前記各辺と対応する４箇所に設けられている。
【００２０】
前記第２の開口１８は、図６および図１５に示すように、後述するレンズ部材４の保持用突部２２とフレーム２のフック２３とを挿入するためのものである。保持用突部２２には、図１４および図１５に示すように、後述するフレーム２のフック２３が係合する係合穴２４が形成されているとともに、前記底板１２ｂより後方に突出する押圧片２５が形成されている。また、第２の開口１８は、図４および図６に示すように、前記底板１２ｂからフレーム２の内部側板１２ｃに延びるように形成されている。
【００２１】
前記フック２３は、レンズ部材４をフレーム２で保持するためのものである。この実施の形態によるフック２３は、支持台部１３から後方に延びる断面Ｕ字状の可撓部２３ａと、この可撓部２３ａの先端部分に設けられた係止片２３ｂとによって構成されている。フック２３は、レンズ部材４の前記保持用突部２２が第２の開口１８内に挿入されることによって、保持用突部２２の係合穴２４に係合するように構成されている。すなわち、保持用突部２２が第２の開口１８内に挿入されると、係止片２３ｂは、保持用突部２２に押され、これに伴って可撓部２３ａが撓むことにより支持台部１３側に後退する。
【００２２】
保持用突部２２がさらに進み、係合穴２４が係止片２３ｂと対向するようになると、係止片２３ｂが可撓部２３ａのばね力によって係合穴２４の中に入る。この係合を解除するときは、フック２３の係止片２３ｂが係合穴２４の外に出るように、保持用突部２２の押圧片２５を図１５において左下側へ押圧して保持用突部２２を弾性変形させ、この状態でレンズ部材４を前方に引くことによって行う。
この実施の形態によるフック２３は、保持用突部２２に係合した状態において、レンズ部材４によって画像シート７がフレーム２の支持台部１３に押し付けられるように形成されている。
【００２３】
前記係合穴２４の開口幅は、図１４に示すように、フック２３の係止片２３ｂの幅より広くなるように形成されている。また、前記係止片２３ｂは、図６に示すように、係合穴２４を通して保持用突部２２から所定寸法だけ外側（図６においては左側）に突出するように形成されている。すなわち、保持用突部２２とフック２３とは、係合状態であっても、レンズ部材４を上下方向と左右方向とに僅かに移動させることができるように形成されている。
この実施の形態による前記第２の開口１８とフック２３とは、図３に示すように、フレーム２の各辺の長手方向の略中央部に配設されている。
【００２４】
前記支持台部１３は、後述する画像シート７を重ねるためのものである。この支持台部１３は、図２および図５に示すように、前記内部側板１２ｃの前端からフレーム２の内側に延びる板によって形成されている。この支持台部１３の中央部には開口１３ａが形成されている。また、この支持台部１３の前面には、画像シート７の移動を少なく抑えるために抵抗付与部材２６が設けられている。この抵抗付与部材２６は、例えばサンドペーパーのようなシート状のものが用いられ、画像シート７の裏面に接触するように支持台部１３に貼付けられている。
【００２５】
レンズ部材４は、図８および図９に示すように、長方形状に形成されたレンチキュラーレンズ３と、このレンチキュラーレンズ３の４辺に設けられた第１〜第４の側板４ａ〜４ｄとによって構成されている。レンチキュラーレンズ３は、従来からよく知られているように、断面かまぼこ型の多数の凸レンズ（図示せず）を並べた構造のものである。各凸レンズは、図１において上下方向に伸びるように形成されている。また、多数の凸レンズは、図１において左右方向に並べられている。以下においては、これらの凸レンズが並ぶ方向（レンチキュラーレンズ３の凹凸が並ぶ方向であって図１において左右方向）を第１の方向といい、この第１の方向とは直交する方向（図１においては上下方向）を第２の方向という。
【００２６】
レンズ部材４における前記第１の方向の両端部には、前記第１の側板４ａと前記第２の側板４ｂが設けられている。これらの第１、第２の側板４ａ，４ｂは、図１において上下方向に延びるように形成されている。一方、レンズ部材４における前記第２の方向の両端部には、前記第３の側板４ｃと前記第４の側板４ｄとが設けられている。これらの第３、第４の側板４ｃ，４ｄは、図１において左右方向に延びるように形成されている。
【００２７】
第１〜第４の側板４ａ〜４ｄには、図８に示すように、上述した保持用突部２２が一体に形成されている。保持用突部２２は、第１〜第４の側板４ａ〜４ｄにおける長手方向の中央部であって、後端部に設けられている。
また、これらの第１〜第４の側板４ａ〜４ｄの外側には、後述する調整機構６の回転体５が挿入される溝３１が形成されている。この溝３１は、第１〜第４の側板４ａ〜４ｄに突設された２本の柱状突起３２，３２の間に前後方向に延びるように形成されている。
【００２８】
前記調整機構６は、図１４および図１５に示すように、フレーム２に支持された回転体５と、この回転体５が接続するレンズ部材４の前記溝３１とによって構成されている。回転体５は、図１０（ａ）,（ｂ）に示すように、円板状のダイヤル３３と、このダイヤル３３の一端部に設けられた回転軸３４と、ダイヤル３３の他端部にばね片３５を介して接続されたピン３６とを備えている。この回転体５は、図１４および図１５に示すように、フレーム２の上下方向の両端部に位置する側板１１ｃ，１１ｄと、溝部１２の外部側板１２ａとの間にそれぞれ収容され、これらの板部材に回転自在に支持されている。
【００２９】
この回転体５を形成する材料はプラスチックである。前記ダイヤル３３と、前記回転軸３４と、前記ばね片３５およびピン３６とは、一体成形により一体に形成されている。前記回転軸３４は、円柱状に形成されており、ダイヤル３３と同一軸線上に位置付けられている。回転軸３４の外径は、前記フレーム２の切り欠き１５に回転自在に嵌合するように形成されている。回転軸３４の先端部には、レンズ部材４に接続される偏心カム３７が突設されている。この実施の形態においては、この偏心カム３７によって、本発明でいう移動子が構成されている。
【００３０】
偏心カム３７は、回転軸３４より細い円柱状に形成されており、回転軸３４とは偏心した位置で回転軸３４の軸線と平行な方向に延びている。この偏心カム３７の外径は、図１６（ａ）に示すように、前記溝３１に嵌合する寸法に形成されている。この実施の形態による偏心カム３７には、回転軸３４に対して偏心する方向に向かって僅かに尖るような形状の頂部３７ａと、この頂部３７ａとは径方向の反対側に位置する扁平部３７ｂとが形成されている。このように偏心カム３７に頂部３７ａと扁平部３７ｂとを形成した理由は、偏心カム３７がレンズ部材４を駆動するときにレンズ部材４に等加速度運動をさせるためである。
【００３１】
前記ばね片３５は、図１０（ａ）に示すように、弾性変形できるように断面略字状に形成された可撓部３５ａと、この可撓部３５ａの先端部分に設けられた摘み部３５ｂとによって構成されている。前記ピン３６は、前記側板１１ａ〜１１ｄの軸孔１４に回転自在に嵌合する円柱状に形成されている。また、このピン３６は、前記回転軸３４と同一軸線上に位置するようにばね片３５に突設されている。このピン３６は、作業者（図示せず）が前記摘み部３５ｂをダイヤル３３側に押して可撓部３５ａが撓むことによって、図１４に示す使用位置からダイヤル３３側に僅かに移動し、軸孔１４から出される。
【００３２】
この実施の形態による回転体５の軸線方向の長さ（偏心カム３７の先端面と、ばね片３５の最もダイヤル３３から離間する端面との間隔）は、組立状態でばね片３５が僅かに圧縮させられるような長さに形成されている。ここでいう組立状態とは、回転体５がフレーム２に支持され、さらに、フレーム２にレンズ部材４が取付けられて溝３１に偏心カム３７が嵌合している状態をいう。
【００３３】
この回転体５は、図１に示すように、フレーム２の上下方向（第２の方向）の両端部に位置する二つの取付部２１，２１にそれぞれ取付けられている。回転体５をフレーム２に取付けるためには、先ず、図１１および図１２に示すように、回転軸３４をフレーム２の枠部１１の後方（裏側）から切り欠き１５に挿入する。このときは、ピン３６がフレーム２より後方（図１２においては下方）に位置するように回転体５を傾斜させる。
【００３４】
次に、ばね片３５の摘み部３５ｂをダイヤル３３側に押してピン３６をダイヤル３３側に移動させる。そして、この状態で回転体５を前記傾斜が解消されるように回転軸３４を中心にして揺動させ、図１３に示すように、ピン３６をフレーム２の軸孔１４に嵌合させる。回転体５をフレーム２から取り外す場合は、上記とは逆の手順で行うことができる。このように回転軸３４が切り欠き１５に嵌合するとともに、ピン３６が軸孔１４に嵌合することにより、回転体５がフレーム２に回転自在に支持される。回転体５がフレーム２に取付けられている状態において、ダイヤル３３は、図１５に示すように、フレーム２の裏側に露出する。
【００３５】
回転体５の前記偏心カム３７は、回転体５がフレーム２に取付けられている状態でレンズ部材４がフレーム２に取付けられることによって、レンズ部材４の溝３１に嵌合する。レンズ部材４のフレーム２への取付けは、フレーム２の支持台部１３に画像シート７を重ねた状態でレンズ部材４の保持用突部２２をフレーム２の溝部１２内に挿入し、保持用突部２２にフック２３を係合させることによって行う。このとき、レンズ部材４の溝３１に偏心カム３７を嵌合させる。偏心カム３７が前記溝３１に嵌合している状態で回転体５を回転させると、偏心カム３７が回転軸３４を中心にして回転し、偏心カム３７が図１において左右方向（第１の方向）に移動する。偏心カム３７がこのように移動することによって、レンズ部材４がフレーム２に対して左右方向に移動する。
【００３６】
この実施の形態による画像表示器１は、このようにレンズ部材４をフレーム２に対して第１の方向に移動させることによって、画像シート７とレンチキュラーレンズ３との位置合わせを行うことができるものである。なお、画像シート７は、支持台部１３の抵抗付与部材２６に接触しており、フレーム２に対しては移動し難い。すなわち、画像シート７は、レンズ部材４の第１，２の側板４ａ，４ｂで押されない限りは、レンズ部材４がフレーム２に対して移動したとしてもレンズ部材４とともに移動することはない。
【００３７】
画像シート７の幅（第１の方向の幅）は、レンズ部材４の第１の側板４ａと第２の側板４ｂとの間の間隔より狭くなるように形成されている。この実施の形態においては、第１、第２の側板４ａ，４ｂと画像シート７との間に、前記偏心カム３７が回転軸３４を中心にして回転することにより往復する前記レンズ部材４の往復ストロークに相当する隙間Ｓ｛図１７（ｄ）参照｝が形成されている。
【００３８】
画像シート７は、支持台部１３に正しく載せたとしても、レンズ部材４をフレーム２に取付けるときにフレーム２が揺れたり振動したりしてレンチキュラーレンズ３に対して大きく傾いてしまうことがある。このような場合は、調整機構６を使用して画像シート７の傾斜を修正する。この修正を行うときの操作を図１６によって説明する。ここでは、図１６（ａ），（ｂ）に示す状態を初期の状態として説明する。この初期状態においては、図１６（ａ）に示すように、偏心カム３７は後側（図においては下側）に位置している。また、初期状態においては、図１６（ｂ）に示すように、平面視において、画像シート７の左下の角部分がレンズ部材４の第１の側板４ａに接触している。
【００３９】
このように傾いた画像シート７の角度を修正するためには、フレーム２の下部と上部とに設けられている二つの回転体５，５を順次回転させることによって行う。すなわち、先ず、フレーム２の下部に位置する回転体５のダイヤル３３を図１６（ａ）示す位置から、たとえば反時計方向に回転させる。ダイヤル３３を９０°回転させると、同図（ｃ），（ｄ）に示すように、偏心カム３７が右側に移動する。この結果、画像シート７は、レンズ部材４の第１の側板４ａによって押されて強制的に右側に移動させられる。この例においては、ダイヤル３３が９０°回転した状態で偏心カム３７が最も右側に移動する。ダイヤル３３がさらに９０°回転して初期状態から１８０°回転すると、図１７（ａ）に示すように、偏心カム３７が左側に移動する。このときは、図１７（ｂ）に示すように、レンズ部材４の第２の側板４ｂが画像シート７より右方に離間した位置にあるために、画像シート７が移動することはない。
【００４０】
ダイヤル３３がさらに９０°回転して初期状態から２７０°回転すると、図１７（ｃ）に示すように、偏心カム３７が最も左側の位置まで移動する。このときは、図１７（ｄ）に示すように、レンズ部材４の第２の側板４ｂが画像シート７と接触するような位置まで移動する。ダイヤル３３がさらに９０°回転して初期状態から３６０°回転すると、図１６（ａ），（ｂ）に示すように、偏心カム３７およびレンズ部材４は初期の位置に戻る。図１６（ｂ）に示す位置までレンズ部材４が移動することによって、画像シート７の下部はレンズ部材４の左右方向の略中央に位置するようになる。
【００４１】
次に、フレーム２の上部に位置する回転体５について上記と同様の操作を行う。フレーム２の上部の回転体５が１回転以上回転すると、画像シート７の上部がレンズ部材４の左右方向の略中央に位置するようになる。その後、レンチキュラーレンズ３を通して画像シート７の立体画像を見ながら前記二つの回転体５を僅かずつ回し、レンチキュラーレンズ３と前記立体画像との位置合わせを行うことによって、前記立体画像が正しく立体的に見えるようになる。
【００４２】
すなわち、上述したように構成された画像表示器１によれば、調整機構６の回転体５が回転することによって、レンズ部材４が画像シート７に対して前記第１の方向に移動する。回転体５は、フレーム２の外に露出しているから、利用者がレンチキュラーレンズ３を通して立体画像を見ながら容易に操作することができる。このため、利用者は、レンチキュラーレンズ３を通して立体画像が正しく見えるように画像シート７とレンズ部材４との相互の位置を修正することができる。
したがって、この実施の形態によれば、製造時に各部材に公差があるにもかかわらず、レンチキュラーレンズ３を通して立体画像を常に正しく見ることが可能な画像表示器を提供することができる。
【００４３】
この実施の形態による画像表示器１の前記フック２３は、レンズ部材４を保持した状態において、レンズ部材４が画像シート７をフレーム２に押し付けるように形成されている。
このため、レンズ部材４をフレーム２に保持させることによって、画像シート７にレンチキュラーレンズ３を密着させることができる。したがって、この実施の形態によれば、レンチキュラーレンズ３を通して立体画像をより一層鮮明に見ることができる。
【００４４】
この実施の形態による画像表示器１は、レンチキュラーレンズ３と画像シート７との位置合わせを行うに当たってレンズ部材４をフレーム２や画像シート７に対して移動させるものである。また、調整機構６の回転体５は、円板状のダイヤル３３と、このダイヤル３３の軸心部に突設されてフレーム２に回転自在に支持された回転軸３４とを備えている。さらに、調整機構６の移動子は、前記回転軸３４に設けられた偏心カム３７によって形成され、かつ前記レンズ部材４の第１、第２の側板４ａ，４ｂに回転自在に嵌合している。
このため、この実施の形態による調整機構６は、構造が単純であるから、低いコストで製造することができる。したがって、この実施の形態によれば、立体画像を正しく見ることができる画像表示器を低い価格で提供することが可能になる。
【００４５】
この実施の形態によるレンズ部材４には、画像シート７の両側方で前記第１の方向とは直交する第２の方向に延びる第１の側板４ａと第２の側板４ｂとが設けられている。これらの第１、第２の側板４ａ，４ｂと前記画像シート７との間には、前記偏心カム３７が回転することにより往復するレンズ部材４の往復ストロークに相当する隙間Ｓが形成されている。
このため、この実施の形態に示したように、画像シート７の形状が第１、第２の側板４ａ，４ｂと平行な２辺を有する形状である場合、レンズ部材４が調整機構６による駆動によって往復動作をすると、前記２辺が第１、第２の側板４ａ，４ｂと平行になるように画像シート７を移動させることができる。したがって、この実施の形態によれば、画像シート７の傾斜を修正することが可能な画像表示器を提供することができる。
【００４６】
この実施の形態による画像表示器１においては、フレーム２における前記回転体５が取付けられる取付部２１と、レンズ部材４における回転体５が接続される部分（溝３１）とは、回転体５が着脱可能となるように形成されている。また、これらの部分は、前記第１の方向の両端部と、この第１の方向とは直交する第２の方向の両端部とにそれぞれ設けられている。
このため、前記回転体５を取付ける位置を例えばフレーム２における第１の方向の両端部から第２の方向の両端部に変えることによって、レンズ部材４の移動する方向を９０度変えることができる。
【００４７】
すなわち、この実施の形態による画像表示器１は、次に説明する二つの使用形態を採ることが可能なものである。第１の使用形態は、図１〜図１６に示す使用形態で、縦長に形成された画像シート７およびレンズ部材４をフレーム２に装着した使用形態である。第２の使用形態は、横長に形成された画像シート７およびレンズ部材４をフレーム２に装着した使用形態である。第２の使用形態を採るときは、図１において左右方向の両端部に位置する二箇所の取付部２１，２１に回転体５が取付けられる。したがって、この実施の形態によれば、縦長と横長の画像シート７を使用できるから、汎用性が高い画像表示器１を提供することができる。
【００４８】
この実施の形態による画像表示器１は、ジグソーパズルからなる画像シート７を使用している。このため、この画像表示器１は、ジグソーパズルを作る楽しみと、ジグソーパズルを作った後に立体画像として見る楽しみとを利用者に与えることができる。
なお、本発明に係る画像表示器１に使用する画像シート７は、ジグソーパズルに限定されることはなく、立体画像が印刷された一枚のシートによって構成することができる。
【００４９】
上述した実施の形態による画像表示器１は、レンズ部材４を画像シート７に対して移動させる構成を採っている。しかし、本発明は、このような限定にとらわれることはなく、画像シート７がレンズ部材４に対して移動する構成を採ることができる。この場合、レンズ部材４は、フレーム２に移動することができないように固定される。また、画像シート７は、トレイ（図示せず）に収納され、このトレイを介してフレーム２に移動自在に保持される。調整機構６の回転体５は、フレーム２に回転自在に支持され、偏心カム３７は、前記トレイに回転自在に嵌合される。
また、調整機構６は、上述した実施の形態で示したような偏心カム３７を利用して構成する他に、ねじ部材が回転することにより進退する原理を利用して構成することができる。
【符号の説明】
【００５０】
１…画像表示器、２…フレーム、３…レンチキュラーレンズ、４…レンズ部材、４ａ…第１の側板、４ｂ…第２の側板、５…回転体、６…調整機構、７…画像シート、２１…取付部、２３…フック、３３…ダイヤル、３４…回転軸、３５…ばね片、３７…偏心カム。
【図１】
2012037802.tif 000003
【図２】
2012037802.tif 000004
【図３】
2012037802.tif 000005
【図４】
2012037802.tif 000006
【図５】
2012037802.tif 000007
【図６】
2012037802.tif 000008
【図７】
2012037802.tif 000009
【図８】
2012037802.tif 000010
【図９】
2012037802.tif 000011
【図１０】
2012037802.tif 000012
【図１１】
2012037802.tif 000013
【図１２】
2012037802.tif 000014
【図１３】
2012037802.tif 000015
【図１４】
2012037802.tif 000016
【図１５】
2012037802.tif 000017
【図１６】
2012037802.tif 000018
【図１７】
2012037802.tif 000019